(57)【要約】  【課題】  パラメータの設定を容易に行うことのできる画像形成装置およびその制御方法を提供する。  【解決手段】  種類の異なる複数のパラメータのそれぞれに設定する値の組を選択条件として複数管理するとともに、該複数の選択条件を該選択条件を構成するパラメータの値とともに一覧表示する表示画面を生成して表示する。例えば、選択条件を機能選択ボタン配置欄１０１および機能選択ボタン配置欄１０２にボタンとして配置し、当該選択条件を構成する各パラメータをリスト表示欄１０５にリストとして一覧表示する。【選択図】        図３
2006251330.tif 000002
【特許請求の範囲】
【請求項１】
ユーザに対して情報を表示する表示手段とユーザからの指示を受け付ける入力手段とを具備し、ユーザから指定された複数種類のパラメータに基づいて動作する画像形成装置において、
種類の異なる複数のパラメータのそれぞれに設定する値の組を選択条件として管理する条件管理手段と、
前記条件管理手段が管理する複数の選択条件を、該選択条件を構成するパラメータの値とともに一覧表示する表示画面を生成し、該生成した表示画面を前記表示手段に表示させる表示制御手段と
を具備することを特徴とする画像形成装置。
【請求項２】
前記表示制御手段は、前記選択条件に対応する自装置の状態表示を前記表示画面に含めることを特徴とする請求項１記載の画像形成装置。
【請求項３】
前記表示制御手段は、前記入力手段が受け付けたユーザからの指示に基づいて、前記選択条件を該選択条件を構成するパラメータの値に基づいて並び替え、該並び替えた選択条件の一覧を表示する表示画面を生成し、該生成した表示画面を前記表示手段に表示させることを特徴とする請求項１記載の画像形成装置。
【請求項４】
前記条件管理手段は、前記選択条件の少なくとも一部を、該選択条件を構成するパラメータの値を固定とした固定選択条件として管理することを特徴とする請求項１記載の画像形成装置。
【請求項５】
前記管理手段は、用紙の種別を特定するパラメータの組を前記選択条件として管理することを特徴とする請求項１記載の画像形成装置。
【請求項６】
前記管理手段は、ジョブメモリとして登録可能なパラメータの組を前記選択条件として管理することを特徴とする請求項１記載の画像形成装置。
【請求項７】
前記管理手段は、カラーモードを特定するパラメータの組を前記選択条件として管理することを特徴とする請求項１記載の画像形成装置。
【請求項８】
ユーザに対して情報を表示する表示手段とユーザからの指示を受け付ける入力手段とを具備し、ユーザから指定された複数種類のパラメータに基づいて動作する画像形成装置の制御方法であって、
種類の異なる複数のパラメータのそれぞれに設定する値の組を選択条件として複数管理するとともに、該複数の選択条件を該選択条件を構成するパラメータの値とともに一覧表示する表示画面を生成し、該生成した表示画面を前記表示手段に表示させることを特徴とする画像形成装置の制御方法。
【請求項９】
前記選択条件に対応する前記画像形成装置の状態の表示を前記表示画面に含めることを特徴とする請求項８記載の画像形成装置の制御方法。
【請求項１０】
前記入力手段が受け付けたユーザからの指示に基づいて、前記選択条件を該選択条件を構成するパラメータの値に基づいて並び替え、該並び替えた選択条件の一覧を表示する表示画面を生成し、該生成した表示画面を前記表示手段に表示させることを特徴とする請求項８記載の画像形成装置の制御方法。
【請求項１１】
前記選択条件の少なくとも一部を、該選択条件を構成するパラメータの値を固定とした固定選択条件として管理することを特徴とする請求項８記載の画像形成装置の制御方法。
【請求項１２】
用紙の種別を特定するパラメータの組を前記選択条件として管理することを特徴とする請求項８記載の画像形成装置の制御方法。
【請求項１３】
ジョブメモリとして登録可能なパラメータの組を前記選択条件として管理することを特徴とする請求項８記載の画像形成装置の制御方法。
【請求項１４】
カラーモードを特定するパラメータの組を前記選択条件として管理することを特徴とする請求項８記載の画像形成装置の制御方法。
【発明の詳細な説明】
【技術分野】
【０００１】
本発明は、画像形成装置およびその制御方法に関し、特に、画像形成装置のユーザインタフェイスの制御に関する。
【背景技術】
【０００２】
近年、デジタル複写機等の画像形成装置の性能が向上し、ユーザは、画像形成装置の様々な機能を利用することが可能となっている。その反面、ユーザが所望の機能を利用するための条件の設定が煩雑な処理となってきている。
【０００３】
例えば、ユーザーが設定する択一的な複数の選択枝を持つ設定機能においては、ユーザが、所望する選択をボタンの押下等により行うのが一般的であり、その選択する項目の詳細の設定パラメータが多数存在する場合や、装置の状態により選択条件を変えたい場合では、それらの情報を加味して、選択を決める必要があった。
【０００４】
また、それらの詳細パラメータや装置状態の情報は、パラメータを選択する選択画面とは、異なる画面上に表示される事が一般的であり、そのような手順では、ユーザは、情報の比較・検討をしながらの選択に時間がかかり、設定のミス等を起こす問題もあった。
【０００５】
このような設定のミス等は、特許文献１に記載された技術等を利用して、一度プリント出力したジョブ情報を画面上に一覧表示させて、ユーザーが所望するプリントを選択して再度出力させる事ができるようにすることで、減少させることが可能である。
【特許文献１】特開２００２−１４９３７１号公報
【発明の開示】
【発明が解決しようとする課題】
【０００６】
しかしながら、特許文献１に記載された技術等を利用して、一度プリント出力したジョブ情報を画面上に一覧表示させて所望するプリント再度出力させるといった方法は、過去のジョブ情報を利用する方法であって、ジョブのパラメータをユーザーが編集するようなものではなく、パラメータの設定が煩雑となるといった課題を解決するものではなかった。
【０００７】
そこで、本発明は、パラメータの設定を容易に行うことのできる画像形成装置およびその制御方法を提供することを目的とする。
【課題を解決するための手段】
【０００８】
上述した目的を達成するため、請求項１の発明は、ユーザに対して情報を表示する表示手段とユーザからの指示を受け付ける入力手段とを具備し、ユーザから指定された複数種類のパラメータに基づいて動作する画像形成装置において、種類の異なる複数のパラメータのそれぞれに設定する値の組を選択条件として管理する条件管理手段と、前記条件管理手段が管理する複数の選択条件を、該選択条件を構成するパラメータの値とともに一覧表示する表示画面を生成し、該生成した表示画面を前記表示手段に表示させる表示制御手段とを具備することを特徴とする。
【０００９】
また、請求項２の発明は、請求項１の発明において、前記表示制御手段は、前記選択条件に対応する自装置の状態表示を前記表示画面に含めることを特徴とする。
【００１０】
また、請求項３の発明は、請求項１の発明において、前記表示制御手段は、前記入力手段が受け付けたユーザからの指示に基づいて、前記選択条件を該選択条件を構成するパラメータの値に基づいて並び替え、該並び替えた選択条件の一覧を表示する表示画面を生成し、該生成した表示画面を前記表示手段に表示させることを特徴とする。
【００１１】
また、請求項４の発明は、請求項１の発明において、前記条件管理手段は、前記選択条件の少なくとも一部を、該選択条件を構成するパラメータの値を固定とした固定選択条件として管理することを特徴とする。
【００１２】
また、請求項５の発明は、請求項１の発明において、前記管理手段は、用紙の種別を特定するパラメータの組を前記選択条件として管理することを特徴とする。
【００１３】
また、請求項６の発明は、請求項１の発明において、前記管理手段は、ジョブメモリとして登録可能なパラメータの組を前記選択条件として管理することを特徴とする。
【００１４】
また、請求項７の発明は、請求項１の発明において、前記管理手段は、カラーモードを特定するパラメータの組を前記選択条件として管理することを特徴とする。
【００１５】
また、請求項８の発明は、ユーザに対して情報を表示する表示手段とユーザからの指示を受け付ける入力手段とを具備し、ユーザから指定された複数種類のパラメータに基づいて動作する画像形成装置の制御方法であって、種類の異なる複数のパラメータのそれぞれに設定する値の組を選択条件として複数管理するとともに、該複数の選択条件を該選択条件を構成するパラメータの値とともに一覧表示する表示画面を生成し、該生成した表示画面を前記表示手段に表示させることを特徴とする。
【００１６】
また、請求項９の発明は、請求項８の発明において、前記選択条件に対応する前記画像形成装置の状態の表示を前記表示画面に含めることを特徴とする。
【００１７】
また、請求項１０の発明は、請求項８の発明において、前記入力手段が受け付けたユーザからの指示に基づいて、前記選択条件を該選択条件を構成するパラメータの値に基づいて並び替え、該並び替えた選択条件の一覧を表示する表示画面を生成し、該生成した表示画面を前記表示手段に表示させることを特徴とする。
【００１８】
また、請求項１１の発明は、請求項８の発明において、前記選択条件の少なくとも一部を、該選択条件を構成するパラメータの値を固定とした固定選択条件として管理することを特徴とする。
【００１９】
また、請求項１２の発明は、請求項８の発明において、用紙の種別を特定するパラメータの組を前記選択条件として管理することを特徴とする。
【００２０】
また、請求項１３の発明は、請求項８の発明において、ジョブメモリとして登録可能なパラメータの組を前記選択条件として管理することを特徴とする。
【００２１】
また、請求項１４の発明は、請求項８の発明において、カラーモードを特定するパラメータの組を前記選択条件として管理することを特徴とする。
【発明の効果】
【００２２】
本発明によれば、ユーザは、選択機能を一覧表示で比較検討しながら選択することができ、操作性が向上される。特に、印刷設定・画質・用紙等に詳細のパラメータを設定することの画像形成装置では、その操作性の向上の度合いが大きなものとなる。
【発明を実施するための最良の形態】
【００２３】
以下、本発明に係る画像形成装置およびその制御方法の一実施の形態について、添付図面を参照して、詳細に説明する。
【実施例】
【００２４】
図１は、画像形成装置に適用するＵＩ装置の外観例を示した図であり、図２は、同ＵＩ装置の構成例を示した図である。このＵＩ装置は、画像形成装置のユーザインタフェイス（以下、ＵＩと略称する）として用いるもので、ユーザへの情報の提示やユーザが入力する指示の受け付けを行う。
【００２５】
図１に示すように、ＵＩ装置１は、入力ボタン等により構成される入力部２と、タッチパネルディスプレイ等により構成される表示・入力部３を有している。なお、ＵＩ装置１は、入力部２を有さずに、入力部２に配される入力ボタン等を表示・入力部３にソフトウェアボタンとして表示するようにすることも可能である。
【００２６】
また、図２に示すように、ＵＩ装置１は、制御部１０と、入力部２０、表示部３０により構成される。
【００２７】
制御部１０は、ＵＩ装置１を動作させるための各部を実装した基板であり、ＣＰＵ（Ｃｅｎｔｒａｌ  Ｐｒｏｃｅｓｓｉｎｇ  Ｕｎｉｔ）１１、ＷＯＲＫ  ＲＡＭ（Ｒａｎｄｏｍ  Ａｃｃｅｓｓ  Ｍｅｍｏｒｙ）１２、ＣＯＮＴＲＯＬ  ＲＡＭ１３、ＦＲＡＭＥ  ＲＯＭ（Ｒｅａｄ  Ｏｎｌｙ  Ｍｅｍｏｒｙ）１４、ＡＲＴＯＰ（Ａｒｔ  Ｏｐｅｒａｔｉｎｇ  Ｐｒｏｃｅｓｓｏｒ）１５、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１６が、実装されている。ＣＰＵ１１は、プログラムに基づいてデータの処理や処理結果の通知等の演算処理を行う。ＷＯＲＫ  ＲＡＭ１２、ＣＯＮＴＲＯＬ  ＲＡＭ１３は、ＣＰＵ１１が動作する際に一時的に記憶する必要のあるデータ等を記憶する。ＦＲＡＭＥ  ＲＯＭ１４は、、ＣＰＵを動作させるプログラムや表示部３０に表示する画面を構成する要素等のデータを記憶している。ＡＲＴＯＰ１５、ＡＳＩＣ１６は、表示部３０に画面を表示する処理を実行する。
【００２８】
入力部２０は、入力部２や表示・入力部３から入力されたユーザの指示を受け付けるものである。表示部３０は、表示・入力部３の一部であり、ＬＣＤ（Ｌｉｑｕｉｄ  Ｃｒｙｓｔａｌ  Ｄｉｓｐｌａｙ）等の表示装置により構成される。
【００２９】
なお、ＵＩ装置１は、その動作や表示する表示内容が従来の装置と異なるもの、つまり、ＣＰＵ１１を動作させるプログラムが従来の装置と異なるものであり、装置構成自体は、従来の装置と同様のものとなる。
【００３０】
次に、ＵＩ装置１が表示部３０（表示・入力部３）に表示する表示画面について説明する。図３は、ＵＩ装置１が表示する表示画面の基本構成を示した図である。
【００３１】
同図に示すように、ＵＩ装置１が表示する表示画面１００には、機能選択ボタン配置欄１０１と、機能選択ボタン配置欄１０２、割当てボタン配置欄１０３、ソートボタン配置欄１０４、リスト表示欄１０５、マシン状態選択ボタン配置欄１０６、マシン状態リスト表示欄１０７、設定項目ページ切り替えボタン配置欄１０８、選択項目ページ切り替えボタン配置欄１０９が配されている。
【００３２】
機能選択ボタン配置欄１０１は、機能選択ボタンまたは機能選択ボタン群が配置される欄である。この機能選択ボタン配置欄１０１に配置される機能選択ボタンは、複数の設定パラメータを持ち、設定パラメータが変更できない固定専用のボタンであり、一般的に推奨されるパラメータが設定済みのものである。
【００３３】
機能選択ボタン配置欄１０２は、機能選択ボタンまたは機能選択ボタン群が配置される欄である。この機能選択ボタン配置欄１０２に配置される機能選択ボタンは、複数の設定パラメータを持ち、設定パラメータが変更できる可変用のボタンであり、ユーザーが自由にパラメータ設定する為の機能ボタンである。パラメータの設定に際しては、機能選択ボタン配置欄１０１に配置される固定専用の機能選択ボタンの設定内容を可変用のいづれかの機能選択ボタンに割当てて、そこから、設定をカスタマイズするような汎用的な使用も可能である。
【００３４】
なお、機能選択ボタン配置欄１０１に配置される機能選択ボタンと、機能選択ボタン配置欄１０２に配置される機能選択ボタンは、合わせて、択一の選択をさせるボタンとなる。
【００３５】
割当てボタン配置欄１０３は、割当てボタンが配置される欄である。この割当てボタンは、機能選択ボタン配置欄１０１に配置されるパラメータ固定専用の機能選択ボタンの設定内容を、機能選択ボタン配置欄１０２に配置されるパラメータ可変用の機能選択ボタンの設定に割当てる操作を指示するためのボタンである。
【００３６】
ソートボタン配置欄１０４には、ソートボタン群が配置される欄である。各ソートボタンは、詳細設定パラメータのいずれかに対応し、パラメータリストのパラメータ毎の並べ替えの操作を指示するためのボタンであり、パラメータ毎に、並べ変えの条件を変更する事もできる。また、ソートボタンのうち、選択番号のソートボタンは、機能選択番号を番号順に並べ替えることを指示するボタンである。
【００３７】
リスト表示欄１０５は、詳細パラメータのリストが表示される欄で、機能選択ボタン配置欄１０１に配置される機能選択ボタンと機能選択ボタン配置欄１０２に配置される機能選択ボタンの数に応じたパラメータを全て一覧表示するためのテキスト表示領域である。各パラメータは、テキスト枠に表示され、このこのテキスト枠は、個々のパラメータを変更する場合の指示ボタンとしても使用される。このボタンが選択された際には、ＵＩ装置１は、対象のパラメータを変更する為の画面を表示する。
【００３８】
マシン状態選択ボタン配置欄１０６は、マシン状態選択ボタンが配置される欄である。マシン状態選択ボタンは、ユーザがマシン状態の並べ替えの操作を指示するためのボタンである。
【００３９】
マシン状態リスト表示欄１０７は、マシン状態のリストが表示される欄で、機能選択ボタン配置欄１０１に配置される機能選択ボタンと機能選択ボタン配置欄１０２に配置される機能選択ボタンの数に応じたマシン状態の一覧表示する為のテキスト表示領域である。各マシン状態は、テキスト枠に表示され、このこのテキスト枠は、個々のマシン状態の詳細情報を参照する場合の指示ボタンとしても使用される。このボタンが選択された際には、ＵＩ装置１は、マシン状態を参照する為の画面を表示する。
【００４０】
設定項目ページ切り替えボタン配置欄１０８は、設定項目ページ切り替えボタンが配置される欄である。この設定項目ページ切り替えボタンは、詳細設定パラメータが、一画面に表示しきれない数である場合に、ユーザがページ切り替えを指示するボタンであり、次設定ページと前設定ページのそれぞれに対応する設定項目ページ切り替えボタンが、設定項目ページ切り替えボタン配置欄１０８に表示される。
【００４１】
選択項目ページ切り替えボタン配置欄１０９は、選択項目ページ切り替えボタンが配置される欄である。この選択項目ページ切り替えボタンは、機能選択ボタン配置欄１０１に配置される機能選択ボタンと機能選択ボタン配置欄１０２に配置される機能選択ボタンの数が一画面に表示しきれない数である場合に、ユーザがページ切り替えを指示するボタンであり、次選択ページと前選択ページのそれぞれに対応する選択項目ページ切り替えボタンが、選択項目ページ切り替えボタン配置欄１０９に表示される。
【００４２】
次に、ＵＩ装置１が表示部３０（表示・入力部３）に表示する表示画面の具体的な例について説明する。図４乃至９は、それぞれ、ＵＩ装置１が表示する表示画面の具体例を示した図である。
【００４３】
図４に示す表示画面１１０は、ユーザー紙種設定の一覧表示を行うための表示画面であり、機能選択の単位として、ユーザ紙種番号が設定されている。
【００４４】
この表示画面１１０には、表示画面１００の機能選択ボタン配置欄１０１に相当する位置に、機能選択ボタン１１１−１や機能選択ボタン１１１−２等が配置され、機能選択ボタン配置欄１０２に相当する位置に、機能選択ボタン１１２−１や機能選択ボタン１１２−２等が配置されており、これら機能選択ボタン１１１−１等にユーザ紙種番号が設定されている。同様に、表示画面１１０には、割当てボタン配置欄１０３に相当する位置に割当てボタン１１３が配置されている。
【００４５】
また、表示画面１１０には、ソートボタン配置欄１０４に相当する位置に、ソートボタン１１４−１、ソートボタン１１４−２、ソートボタン１１４−３等が配置されており、ソートボタン１１４−１は、選択番号のソートを指示するボタンとして配置され、ソートボタン１１４−２やソートボタン１１４−３等は、それぞれ、用紙ベースレンジ、2’nd BTB、用紙カール量調整、NIP圧、エアアシスト動作、アライメント補正等の各パラメータ毎の並べ替えの操作を指示するためのボタンとして配置されている。
【００４６】
また、表示画面１１０は、用紙トレイのユーザーによる紙種設定用のパラメータを設定する機能を提供するものであるため、リスト表示欄１０５に相当する位置には、紙種設定用のパラメータがリスト１１５として表示される。
【００４７】
この他にも、表示画面１１０には、マシン状態選択ボタン配置欄１０６に相当する位置にマシン状態選択ボタン１１６が配置され、マシン状態リスト表示欄１０７に相当する位置にマシン状態リスト１１７が表示され、設定項目ページ切り替えボタン配置欄１０８に相当する位置に設定項目ページ切り替えボタン１１８−２等が配置され、選択項目ページ切り替えボタン配置欄１０９に相当する位置に選択項目ページ切り替えボタン１１９−２等が配置される。
【００４８】
この表示画面１１０により、用紙トレイ毎に、予め準備されたユーザー紙種設定情報とユーザーが自由にカスタマイズ可能なユーザー紙種設定とを選択する事ができ、ユーザーは、用紙トレイに対して、ユーザー紙種設定の全ての詳細パラメータのセットとなるユーザー紙種設定番号を指定する事により、用紙トレイ個別に、所望の用紙設定ができる事になる。
【００４９】
また、ユーザがリスト１１５の各パラメータ値の表示エリアを選択した場合には、ＵＩ装置１は、そのパラメータの調整値変更画面として図５に示すような表示画面２１０を表示部３０（表示・入力部３）に表示し、ユーザは、表示画面２１０によって調整値の変更を行うことができる。
【００５０】
図６に示す表示画面１２０は、ジョブメモリの一覧表示を行うための表示画面であり、機能選択の単位として、ジョブメモリ番号が設定されている。
【００５１】
この表示画面１２０には、表示画面１００の機能選択ボタン配置欄１０１に相当する位置に、機能選択ボタン１２１−１や機能選択ボタン１２１−２等が配置され、機能選択ボタン配置欄１０２に相当する位置に、機能選択ボタン１２２−１や機能選択ボタン１２２−２等が配置されており、これら機能選択ボタン１２１−１等にジョブメモリ番号が設定されている。同様に、表示画面１２０には、割当てボタン配置欄１０３に相当する位置に割当てボタン１２３が配置されている。
【００５２】
また、表示画面１２０には、ソートボタン配置欄１０４に相当する位置に、ソートボタン１２４−１、ソートボタン１２４−２、ソートボタン１２４−３等が配置されており、ソートボタン１２４−１は、選択番号のソートを指示するボタンとして配置され、ソートボタン１２４−２やソートボタン１２４−３等は、それぞれ、用紙トレイ選択、倍率、カラーモード、コピーアウトプット、画質調整、両面、コピー位置、ポスター、リピート、ＯＨＰ合紙、ビルドジョブ等の各パラメータ毎の並べ替えの操作を指示するためのボタンとして配置されている。
【００５３】
また、表示画面１２０は、コピー機能の各種設定パラメータをコピー機能のジョブとして登録設定する機能を提供するものであり、ユーザーが設定した操作手順をメモリー上に記憶し、そのコピー機能パラメータのセットを１個のジョブ単位として登録することができる。このため、リスト表示欄１０５に相当する位置には、ジョブメモリとして登録可能な各種パラメータがリスト１２５として表示される。
【００５４】
この他にも、表示画面１２０には、マシン状態選択ボタン配置欄１０６に相当する位置にマシン状態選択ボタン１２６が配置され、マシン状態リスト表示欄１０７に相当する位置にマシン状態リスト１２７が表示され、設定項目ページ切り替えボタン配置欄１０８に相当する位置に設定項目ページ切り替えボタン１２８−２等が配置され、選択項目ページ切り替えボタン配置欄１０９に相当する位置に選択項目ページ切り替えボタン１２９−２等が配置される。
【００５５】
また、ユーザがマシン状態リスト１２７の表示エリアを選択した場合には、ＵＩ装置１は、マシン状態の詳細情報を表示する画面として図７に示すような表示画面２２０を表示部３０（表示・入力部３）に表示し、ユーザは、表示画面２２０によってマシン状態の詳細を確認することができる。
【００５６】
なお、図６に示した表示画面１２０では、機能選択ボタン１２２−２に割当てられたジョブメモリ番号に対応するジョブメモリのパラメータとして「パンチ」を含むが、マシン状態が「パンチ装置無し」を示しており、利用することが不可能であるため、リスト１２５の該当する表示エリアを選択できないようにしている。
【００５７】
図８に示す表示画面１３０は、カラーモード設定の一覧表示を行うための表示画面であり、機能選択の単位として、カラーモード設定番号が設定されている。
【００５８】
この表示画面１３０には、表示画面１００の機能選択ボタン配置欄１０１に相当する位置に、機能選択ボタン１３１−１や機能選択ボタン１３１−２等が配置され、機能選択ボタン配置欄１０２に相当する位置に、機能選択ボタン１３２−１や機能選択ボタン１３２−２等が配置されており、これら機能選択ボタン１３１−１等にカラーモード設定番号が設定されている。同様に、表示画面１３０には、割当てボタン配置欄１０３に相当する位置に割当てボタン１３３が配置されている。
【００５９】
また、表示画面１３０には、ソートボタン配置欄１０４に相当する位置に、ソートボタン１３４−１、ソートボタン１３４−２、ソートボタン１３４−３等が配置されており、ソートボタン１３４−１は、選択番号のソートを指示するボタンとして配置され、ソートボタン１３４−２やソートボタン１３４−３等は、それぞれ、色補正、単色カラー調整、登録色調整、濃度調整等の各パラメータ毎の並べ替えの操作を指示するためのボタンとして配置されている。
【００６０】
また、表示画面１３０は、色関連の各種調整値の詳細設定のセットを１個の機能選択のカラーモード単位として、選択して登録する機能を提供するものであり、リスト表示欄１０５に相当する位置には、カラーモードに関する各種パラメータがリスト１３５として表示される。
【００６１】
この他にも、表示画面１３０には、マシン状態選択ボタン配置欄１０６に相当する位置にマシン状態選択ボタン１３６が配置され、マシン状態リスト表示欄１０７に相当する位置にマシン状態リスト１３７が表示され、設定項目ページ切り替えボタン配置欄１０８に相当する位置に設定項目ページ切り替えボタン１３８−２等が配置され、選択項目ページ切り替えボタン配置欄１０９に相当する位置に選択項目ページ切り替えボタン１３９−２等が配置される。
【００６２】
この表示画面１３０では、固定専用の機能設定ボタン、例えば、機能選択ボタン１３１−２を選択した状態で、割当てボタン１３３を選択する事で、選択した固定専用の設定内容を可変専用の機能選択として割り付ける事ができる。割当てボタン１３３の押下時には、ＵＩ装置１は、機能選択の割当て画面として図９に示すような表示画面２３０を表示部３０（表示・入力部３）に表示し、ユーザは、表示画面２３０によって割当て先の機能選択ボタン（機能選択ボタン１３２−１等）を選択することができる。
【００６３】
次に、ＵＩ装置１が表示するに対するユーザの操作があった場合のＵＩ装置１の動作を説明する。図１０乃至１４は、ＵＩ装置１の動作の流れを示すフローチャートである。
【００６４】
ＵＩ装置１は、まず、初期画面等を表示している状態で、ユーザから機能選択の設定操作が行われると、表示部３０（表示・入力部３）に「機能選択リスト」画面を表示する（ステップ３０１）。「機能選択リスト」画面は、表示画面１１０（図４参照）、表示画面１２０（図６参照）、表示画面１３０（図８参照）等の表示画面１００（図３参照）と同様の画面である。
【００６５】
表示画面１００等が表示されている状態で、ユーザが設定項目ページ切り替えボタン配置欄１０８に配置された設定項目ページ切り替えボタンのうち、次の設定の表示を指示するための「次の設定へ」ボタンを押下すると（ステップ３０２でＹＥＳ）、ＵＩ装置１は、表示画面１００に表示されている設定項目のページを次ページに切り替えて表示する（ステップ３０３）。ページが切り替わる設定項目は、リスト表示欄１０５に表示されるリストと、ソートボタン配置欄１０４に配置されるソートボタンのうち、表示が変更されたリストに対応するものである。なお、次ページとして表示する設定項目が存在しない場合には、「次の設定へ」ボタンは非表示となっているため、ユーザに押下されることはない。
【００６６】
また、ユーザが設定項目ページ切り替えボタン配置欄１０８に配置された設定項目ページ切り替えボタンのうち、前の設定の表示を指示するための「前の設定へ」ボタンを押下すると（ステップ３０４でＹＥＳ）、ＵＩ装置１は、表示画面１００に表示されている設定項目のページを前ページに切り替えて表示する（ステップ３０５）。ページが切り替わる設定項目は、リスト表示欄１０５に表示されるリストと、ソートボタン配置欄１０４に配置されるソートボタンのうち、表示が変更されたリストに対応するものである。なお、前ページとして表示する設定項目が存在しない場合には、「前の設定へ」ボタンは非表示となっているため、ユーザに押下されることはない。
【００６７】
同様に、表示画面１００等が表示されている状態で、ユーザが選択項目ページ切り替えボタン配置欄１０９に配置された選択項目ページ切り替えボタンのうち、次の選択の表示を指示するための「次の選択へ」ボタンを押下すると（ステップ３０６でＹＥＳ）、ＵＩ装置１は、表示画面１００に表示されている選択項目のページを次ページに切り替えて表示する（ステップ３０７）。ページが切り替わる選択項目は、機能選択ボタン配置欄１０１および機能選択ボタン配置欄１０２に配置される機能選択ボタンと、リスト表示欄１０５に表示されるリストである。なお、次ページとして表示する選択項目が存在しない場合には、「次の選択へ」ボタンは非表示となっているため、ユーザに押下されることはない。
【００６８】
また、ユーザが選択項目ページ切り替えボタン配置欄１０９に配置された選択項目ページ切り替えボタンのうち、前の選択の表示を指示するための「前の選択へ」ボタンを押下すると（ステップ３０８でＹＥＳ）、ＵＩ装置１は、表示画面１００に表示されている選択項目のページを前ページに切り替えて表示する（ステップ３０９）。ページが切り替わる選択項目は、機能選択ボタン配置欄１０１および機能選択ボタン配置欄１０２に配置される機能選択ボタンと、リスト表示欄１０５に表示されるリストである。なお、前ページとして表示する選択項目が存在しない場合には、「前の選択へ」ボタンは非表示となっているため、ユーザに押下されることはない。
【００６９】
一方、ＵＩ装置１は、ユーザが表示画面１００のソートボタン配置欄１０４に配置されているソートボタンのうち、パラメータＸを示すボタン（選択番号のソートを指示するボタン以外のボタン）を押下すると（ステップ３１０でＹＥＳ）、対応するパラメータＸのソート条件に沿って、機能選択ボタン配置欄１０１および機能選択ボタン配置欄１０２に配置される機能選択ボタンと、リスト表示欄１０５に表示されるリストを並べ替えて表示する（ステップ３１１）。
【００７０】
また、ユーザが表示画面１００のマシン状態選択ボタン配置欄１０６に配置されているマシン状態選択ボタンを押下すると（ステップ３１２でＹＥＳ）、マシン状態のソート条件に沿って、機能選択ボタン配置欄１０１および機能選択ボタン配置欄１０２に配置される機能選択ボタンと、リスト表示欄１０５に表示されるリストを並べ替えて表示する（ステップ３１３）。
【００７１】
同様に、ユーザが表示画面１００のソートボタン配置欄１０４に配置されているソートボタンのうち、選択番号のソートを指示するボタンを押下すると（ステップ３１４でＹＥＳ）、機能選択番号の昇順に、機能選択ボタン配置欄１０１および機能選択ボタン配置欄１０２に配置される機能選択ボタンと、リスト表示欄１０５に表示されるリストを並べ替えて表示する（ステップ３１５）。
【００７２】
また、ユーザが表示画面１００のリスト表示欄１０５に表示されるリストのうち、機能選択番号ｘのパラメータＸに対応する領域（ボタンに相当）を押下すると（ステップ３１６）、ＵＩ装置１は、表示部３０（表示・入力部３）に機能選択番号ｘに対応するパラメータＸの調整値変更画面を表示する（ステップ３１７）。この調整値変更画面は、例えば、表示画面２１０（図５参照）に相当する画面である。
【００７３】
この調整値変更画面が表示されている状態で、ユーザが当該画面中の「調整値ｘ」のボタンを押下すると（ステップ３１８でＹＥＳ）、ＵＩ装置１は、パラメータである調整値ｘを選択する（ステップ３１９）。なお、「調整値ｘ」のボタンとは、パラメータの値を示すボタンであり、例えば、表示画面２１０の場合には、「自動」、「タイプＡ」、「タイプＢ」等が相当し、調整値変更画面が表示された段階では、現に機能選択番号ｘのパラメータＸとして設定されている「調整値ｘ」のボタンが選択されている状態となっている。
【００７４】
この後、ユーザが調整値変更画面の「決定」ボタンを押下すると（ステップ３２０でＹＥＳ）、ＵＩ装置１は、機能選択番号ｘのパラメータＸを、調整値ｘに変更し（ステップ３２１）、再度、「機能選択リスト」画面である表示画面１００等を表示する（ステップ３２２）。
【００７５】
一方、ユーザが調整値変更画面の「取消し」ボタンを押下すると（ステップ３２０でＮＯ、ステップ３２３でＹＥＳ）、ＵＩ装置１は、機能選択番号ｘのパラメータＸを変更することなく、「機能選択リスト」画面である表示画面１００等を表示する（ステップ３２２）。
【００７６】
また、ユーザが表示画面１００のマシン状態リスト表示欄１０７に表示されているマシン状態リストのうち、機能選択番号ｘに対応する領域（ボタンに相当）を押下すると（ステップ３２４）、ＵＩ装置１は、表示部３０（表示・入力部３）に機能選択番号ｘに対応するマシン情報の詳細画面を表示する（ステップ３２５）。このマシン情報の詳細画面は、例えば、表示画面２２０（図７参照）に相当する画面である。ＵＩ装置１は、このマシン情報の詳細画面を表示している状態で、ユーザが当該画面中の「閉じる」ボタンを押下すると（ステップ３２６でＹＥＳ）、再度、「機能選択リスト」画面である表示画面１００等を表示する（ステップ３２７）。
【００７７】
一方、ユーザが表示画面１００の機能選択ボタン配置欄１０１および機能選択ボタン配置欄１０２に配置される機能選択ボタンのうち、「機能選択番号ｘ」に対応するボタンを押下すると（ステップ３２８でＹＥＳ）、ＵＩ装置１は、押下された機能選択番号ｘを選択する（ステップ３２９）。
【００７８】
また、ユーザが表示画面１００の割当てボタン配置欄１０３に配置される割当てボタンを押下すると（ステップ３３０でＹＥＳ）、ＵＩ装置１は、機能選択番号ｘが選択された状態であれば（ステップ３３１でＹＥＳ）、表示部３０（表示・入力部３）に機能割当て画面を表示する（ステップ３３２）。この機能割当て画面は、例えば、表示画面２３０（図９参照）に相当する画面である。
【００７９】
この機能割当て画面が表示されている状態で、ユーザが当該画面中の「機能選択番号ｙ」のボタンを押下すると（ステップ３３３でＹＥＳ）、ＵＩ装置１は、押下された機能選択番号ｙを選択する（ステップ３３４）。なお、「機能選択番号ｙ」のボタンとは、機能選択番号を示すボタンであり、例えば、表示画面２３０の場合には、「カラーモード４」、「カラーモード５」等が相当し、機能割当て画面が表示された段階では、機能の割当てられていない機能選択番号等が、デフォルトとして選択されている状態となっている。
【００８０】
この後、ユーザが機能割当て画面の「決定」ボタンを押下すると（ステップ３３５でＹＥＳ）、ＵＩ装置１は、機能選択番号ｘのパラメータを、機能選択番号ｙに割り当て（ステップ３３６）、再度、「機能選択リスト」画面である表示画面１００等を表示する（ステップ３３７）。
【００８１】
一方、ユーザが機能割当て画面の「取消し」ボタンを押下すると（ステップ３３５でＮＯ、ステップ３３８でＹＥＳ）、ＵＩ装置１は、機能の割当てを行うことなく、「機能選択リスト」画面である表示画面１００等を表示する（ステップ３３７）。
【００８２】
また、ユーザが表示画面１００の「決定」ボタンを押下すると（ステップ３３９でＹＥＳ）、ＵＩ装置１は、機能選択番号ｘが選択された状態であれば（ステップ３４０でＹＥＳ）、ＵＩ装置１は、機能選択の設定を終了する。
【００８３】
なお、ここでの説明は省略したが、ユーザが画面に対して行った操作が不適当な場合等には、警告等の表示を行うようにしてもよい。
【図面の簡単な説明】
【００８４】
【図１】画像形成装置に適用するＵＩ装置の外観例を示した図である。
【図２】画像形成装置に適用するＵＩ装置の構成例を示した図である。
【図３】ＵＩ装置１が表示する表示画面の基本構成を示した図である。
【図４】ＵＩ装置１が表示する表示画面の具体例を示した図である。
【図５】ＵＩ装置１が表示する表示画面の具体例を示した図である。
【図６】ＵＩ装置１が表示する表示画面の具体例を示した図である。
【図７】ＵＩ装置１が表示する表示画面の具体例を示した図である。
【図８】ＵＩ装置１が表示する表示画面の具体例を示した図である。
【図９】ＵＩ装置１が表示する表示画面の具体例を示した図である。
【図１０】ＵＩ装置１の動作の流れを示すフローチャートである。
【図１１】ＵＩ装置１の動作の流れを示すフローチャートである。
【図１２】ＵＩ装置１の動作の流れを示すフローチャートである。
【図１３】ＵＩ装置１の動作の流れを示すフローチャートである。
【図１４】ＵＩ装置１の動作の流れを示すフローチャートである。
【符号の説明】
【００８５】
１    ＵＩ装置
２    入力部
３    表示・入力部
１０    制御部
１１    ＣＰＵ
１２    ＷＯＲＫ  ＲＡＭ
１３    ＣＯＮＴＲＯＬ  ＲＡＭ
１４    ＦＲＡＭＥ  ＲＯＭ
１５    ＡＲＴＯＰ
１６    ＡＳＩＣ
２０    入力部
３０    表示部
１００    表示画面
１０１    機能選択ボタン配置欄
１０２    機能選択ボタン配置欄
１０３    割当てボタン配置欄
１０４    ソートボタン配置欄
１０５    リスト表示欄
１０６    マシン状態選択ボタン配置欄
１０７    マシン状態リスト表示欄
１０８    設定項目ページ切り替えボタン配置欄
１０９    選択項目ページ切り替えボタン配置欄
１１０    表示画面
１１１−１、１１１−２    機能選択ボタン
１１２−１、１１２−２    機能選択ボタン
１１３    割当てボタン
１１４−１、１１４−２、１１４−３    ソートボタン
１１５    リスト
１１６    マシン状態選択ボタン
１１７    マシン状態リスト
１１８−２    設定項目ページ切り替えボタン
１１９−２    選択項目ページ切り替えボタン
１２０    表示画面
１２１−１、１２１−２    機能選択ボタン
１２２−１、１２２−２    機能選択ボタン
１２３    割当てボタン
１２４−１、１２４−２、１２４−３    ソートボタン
１２５    リスト
１２６    マシン状態選択ボタン
１２７    マシン状態リスト
１２８−２    設定項目ページ切り替えボタン
１２９−２    選択項目ページ切り替えボタン
１３０    表示画面
１３１−１、１３１−２    機能選択ボタン
１３２−１、１３２−２    機能選択ボタン
１３３    割当てボタン
１３４−１、１３４−２、１３４−３    ソートボタン
１３５    リスト
１３６    マシン状態選択ボタン
１３７    マシン状態リスト
１３８−２    設定項目ページ切り替えボタン
１３９−２    選択項目ページ切り替えボタン
２１０    表示画面
２２０    表示画面
２３０    表示画面
【図１】
2006251330.tif 000003
【図２】
2006251330.tif 000004
【図３】
2006251330.tif 000005
【図４】
2006251330.tif 000006
【図５】
2006251330.tif 000007
【図６】
2006251330.tif 000008
【図７】
2006251330.tif 000009
【図８】
2006251330.tif 000010
【図９】
2006251330.tif 000011
【図１０】
2006251330.tif 000012
【図１１】
2006251330.tif 000013
【図１２】
2006251330.tif 000014
【図１３】
2006251330.tif 000015
【図１４】
2006251330.tif 000016